(57)【特許請求の範囲】
【請求項１】
液体を加熱する加熱容器と、給水管から前記加熱容器への給水経路に設けられた給水を制御する給水弁と、前記加熱容器内の液体を吐出する吐出経路に設けられたポンプと、前記ポンプの駆動または駆動の停止を行うポンプ駆動手段と、前記ポンプ駆動手段の動作を制御して自動排水動作を行う自動排水手段と、使用者により操作される操作部とを備え、前記操作部は禁止状態と許可状態を切り換える自動排水許可スイッチを有し、前記自動排水許可スイッチはその禁止状態において前記自動排水手段に基づく前記ポンプの駆動動作を無効化し、かつ前記自動排水手段は前記自動排水許可スイッチが禁止状態となったのに対応して前記ポンプの自動排水動作を停止し、前記自動排水許可スイッチはその許可状態において前記ポンプ駆動手段による前記ポンプの駆動動作を有効化し、かつ前記自動排水手段は前記自動排水許可スイッチが許可状態となったのに対応して前記ポンプの自動排水動作を行う給湯装置。
【請求項２】
自動排水許可スイッチは、ポンプ駆動手段によるポンプの駆動を無効化することで、前記自動排水手段による前記ポンプの駆動動作を無効化してなる請求項１に記載の給湯装置。
【請求項３】
自動排水許可スイッチと連動する連動スイッチを有し、自動排水手段は、前記連動スイッチの動作に応じてポンプの自動排水動作を停止または実行する請求項２に記載の給湯装置。
【請求項４】
ポンプ駆動手段は自動排水手段により開閉が制御されるポンプ駆動スイッチとするとともに、電源にポンプ、自動排水許可スイッチ、及び前記ポンプ駆動スイッチを直列に接続してなる請求項２または３に記載の給湯装置。
【請求項５】
自動排水許可スイッチを許可状態にすると、自動排水手段による自動排水工程を開始させる自動排水工程開始手段を有する請求項１〜４のいずれか１項に記載の給湯装置。
【請求項６】
自動排水手段による自動排水工程の途中で、所定の命令が入力されるまで前記自動排水工程を止める待機手段を有する請求項１〜５のいずれか１項に記載の給湯装置。
【請求項７】
所定の命令は自動排水許可スイッチの動作に応じて待機手段に入力される請求項６に記載の給湯装置。
【請求項８】
自動排水許可スイッチが許可状態にある時の給湯装置の動作状態に応じて、自動排水手段による複数の自動排水工程の内の一つを選択して開始する自動排水開始選択手段を有する請求項１〜７のいずれか１項に記載の給湯装置。
【請求項９】
自動排水許可スイッチを許可状態にすると、自動排水手段による自動排水工程を開始させる自動排水工程開始手段と、自動排水手段による自動排水工程の途中で、所定の命令が入力されるまで前記自動排水工程を止める待機手段とを有し、給湯装置の動作状態に応じて、前記自動排水工程開始手段または前記待機手段の動作を行う自動排水開始進行選択手段を有する請求項１〜８のいずれか１項に記載の給湯装置。
【請求項１０】
自動排水手段が動作中、自動排水許可スイッチが禁止状態になると、報知を行う排水切替禁止報知手段を有する請求項１〜９のいずれか１項に記載の給湯装置。
【請求項１１】
自動排水手段による自動排水工程の動作中、自動排水許可スイッチが禁止状態になると、報知を行う工程切替禁止報知手段を有する請求項１〜９のいずれか１項に記載の給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来のジャーポット等の湯沸かし器は、加熱容器内の液体を排水する場合、出湯スイッチを押し続けて内蔵のポンプを駆動して排水したり、あるいはジャーポットの蓋を開け、容器を傾けて排水するという作業を行っていた。
【０００３】
【発明が解決しようとする課題】
しかしながら、上記従来のような方法は、使用者が排水を続ける為には出湯スイッチを押し続けなければならず、手間がかかり、また、ジャーポットの蓋を開いて容器を傾けるという行為は体力が必要であり、安全性にも問題があるという課題を有していた。
【０００４】
本発明は、上記従来の問題点を解決するもので、容器内の排水を安全に自動で行える、使い勝手の良いビルトイン給湯装置を提供することを目的とする。
【０００５】
【課題を解決するための手段】
前記従来の課題を解決するために本発明の給湯装置は、加熱容器内の排水を行うポンプを駆動するポンプ駆動手段と、使用者により操作される操作部にポンプ駆動手段の動作を禁止するポンプ駆動禁止手段を設けたものである。これによりポンプ駆動手段に故障が生じて、誤ってポンプを駆動しようとしても、使用者によりポンプ駆動禁止手段が、ポンプ駆動手段の動作を禁止していると、ポンプを駆動することができないため、ポンプ駆動手段の故障による使用者の意志によらない排水状態を未然に防ぎ、安全に排水を行うことができる。
【０００６】
【発明の実施の形態】
請求項１に記載の発明は、液体を加熱する加熱容器と、給水管から前記加熱容器への給水経路に設けられた給水を制御する給水弁と、前記加熱容器内の液体を吐出する吐出経路に設けられたポンプと、前記ポンプの駆動または駆動の停止を行うポンプ駆動手段と、前記ポンプ駆動手段の動作を制御して自動排水動作を行う自動排水手段と、使用者により操作される操作部とを備え、前記操作部は禁止状態と許可状態を切り換える自動排水許可スイッチを有し、前記自動排水許可スイッチはその禁止状態において前記自動排水手段の出力信号に基づく前記ポンプの駆動動作を無効化し、かつ前記自動排水手段は前記自動排水許可スイッチが禁止状態となったのに対応して前記ポンプの自動排水動作を停止し、前記自動排水許可スイッチはその許可状態において前記ポンプ駆動手段による前記ポンプの駆動動作を有効化し、かつ前記自動排水手段は前記自動排水許可スイッチが許可状態となったのに対応して前記ポンプの自動排水動作を行うことにより、自動排水許可スイッチが禁止状態となったのに対応して自動排水手段が自動排水のための動作を停止するとともに、ポンプ駆動手段による前記ポンプの駆動動作が前記自動排水手段の動作に関係無く無効化されるので、自動排水手段が誤動作しても加熱容器内の液体が吐出するされることがなく安全である。
【０００７】
また、自動排水許可スイッチが許可状態となると、ポンプ駆動手段による前記ポンプの駆動動作を有効化し、かつ自動排水手段はポンプの自動排水のための制御動作を行うので操作が簡単で使い勝手がよい。
【０００８】
請求項２に記載の発明は、特に、自動排水許可スイッチは、ポンプ駆動手段による駆動を無効化することで、前記自動排水手段による前記ポンプの駆動動作を無効化してなることにより、使用者が自動排水許可スイッチを禁止状態にしている限り、自動排水手段とポンプ駆動手段のいずれが故障しても、連動スイッチが、自動排水手段のポンプ駆動動作を停止するので、誤ってポンプが駆動される事がほとんど無くなり加熱容器内の液体が間違って排水される恐れをほとんど無くすることができる。
【０００９】
請求項３に記載の発明は、特に、自動排水許可スイッチと連動する連動スイッチを有し、自動排水手段は前記連動スイッチの動作に応じてポンプの自動排水動作を停止または実行することにより、使用者が自動排水許可スイッチを禁止状態にしている限り、自動排水手段、ポンプ駆動手段、自動排水許可スイッチのいずれが故障しても、連動スイッチが、自動排水手段のポンプ駆動動作を停止するので、誤ってポンプが駆動される事がほとんど無くなり加熱容器内の液体が間違って排水される恐れをほとんど無くすることができる。
【００１０】
請求項４に記載の発明は、特に、ポンプ駆動手段は自動排水手段により開閉が制御されるポンプ駆動スイッチとするとともに、電源にポンプ、自動排水許可スイッチ、及び前記ポンプ駆動スイッチを直列に接続してなることにより、使用者が自動排水許可スイッチを閉じない限り、確実にポンプへの電流を遮断できるので、機器の故障によって誤ってポンプが駆動して、勝手に排水状態になることを、完全に防ぐことができる。
【００１１】
請求項５に記載の発明は、特に、自動排水許可スイッチを許可状態にすると、自動排水手段による自動排水工程を開始させる自動排水工程開始手段を有することで、加熱容器への給水及び自動排水手段を用いた加熱容器の自動排水を複数回繰り返すすすぎ洗浄工程等、自動排水手段を用いる自動排水工程を始める為の自動排水許可スイッチを許可状態にする行為と、ポンプへの通電が可能な状態になることが兼ねられるので、誤ってポンプへの通電を禁止したまま、自動排水手段を用いた工程を開始することが無く、安全性も高く使い勝手が良い。
【００１２】
請求項６に記載の発明は、自動排水手段による自動排水工程の途中で、所定の命令が入力されるまで前記自動排水工程を止める待機手段を有することで、加熱容器への給水及び自動排水手段を用いた加熱容器の自動排水を複数回繰り返す洗浄工程等、自動排水手段を用いる工程が自動排水手段による自動排水工程の途中で所定の命令が入力されるまで進まないようにすることができるので、誤ってポンプへの通電を再度許可するのを忘れて、自動排水手段を用いた工程が終了して失敗するのを防ぎ、安全性も高く使い勝手が良い。
【００１３】
請求項７に記載の発明は、請求項６に記載の構成とするとともに、所定の命令は自動排水許可スイッチの動作に応じて待機手段に入力されることで、加熱容器への給水及び自動排水手段を用いた加熱容器の自動排水を複数回繰り返す洗浄工程等、自動排水手段を用いる工程が始まった時、ポンプへの通電が可能な状態にならないと自動排水手段を用いる工程が進まないので、誤ってポンプへの通電を許可し忘れて、自動排水手段を用いた工程が終了して失敗するのを防ぎ、安全性も高く使い勝手が良い。
【００１４】
請求項８に記載の発明は、特に、自動排水許可スイッチが許可状態にある時の給湯装置の動作状態に応じて、自動排水手段による複数の自動排水工程の内の一つを選択して開始する自動排水開始選択手段を有することで、例えば給湯装置の使用時間が短いとき自動排水許可スイッチを許可状態にすると、加熱容器への給水及び自動排水手段を用いた加熱容器の自動排水を複数回繰り返すだけのすすぎ洗浄工程を開始、また給湯装置の使用時間が長い時、自動排水許可スイッチを許可状態にすると加熱容器内の洗浄を強力に行う、加熱容器内にクエン酸溶液を投入後所定の時間保温した後、加熱容器への給水及び自動排水手段を用いた加熱容器の自動排水を複数回繰り返すクエン酸洗浄を開始等、一つの自動排水許可スイッチで、その時必要な自動排水を使用する工程を選択開始でき、かつポンプへの通電の許可も兼ねられるので安全で使い勝手も良い。
【００１５】
請求項９に記載の発明は、特に、自動排水許可スイッチを許可状態にすると、自動排水手段による自動排水工程を開始させる自動排水工程開始手段と、自動排水手段による自動排水工程の途中で、所定の命令が入力されるまで前記自動排水工程を止める待機手段とを有し、給湯装置の動作状態に応じて、前記自動排水工程開始手段または前記待機手段の動作を行う自動排水開始進行手段を設けることにより、給湯装置の動作状態に応じて、ポンプへの通電が許可状態になるまで自動排水を用いる工程を止める働きと、ポンプへの通電を許可状態にするとともに自動排水を用いる工程を始める働きの二つの機能を使い分けることができ、かつポンプへの通電の許可も兼ねられるので安全で使い勝手が良い。
【００１６】
請求項１０に記載の発明は、特に、自動排水手段が動作中、前記自動排水許可スイッチが開いた状態になると、報知を行う排水切替禁止報知手段を設けることで、自動排水手段が動作中、誤ってその動作を不許可にしてしまったことを、使用者に報知して知らせることができるので使い勝手が良い。
【００１７】
請求項１１に記載の発明は、特に、自動排水手段を使用する工程の動作中、自動排水許可スイッチが禁止状態になると、報知を行う工程切替禁止報知手段を設けることで、自動排水手段を使用する工程にある時、それを誤って不許可にしてしまったことを、使用者に報知して知らせることができるので使い勝手が良い。
【００１８】
【実施例】
以下本発明の実施例について、図１〜１５を参照しながら説明する。
【００１９】
（実施例１）
図１は、本発明の第１の実施例における給湯装置のを示すものである。図１において、１は家庭内に設置されたキッチンユニットを示し、その内部空間に浄水加熱ユニット２を設置している。３は給水管である水道管であり、キッチンユニット１のキッチンシンク１２に臨んだ水道口４と、水道水中の不純物を除去する中空子膜や活性炭からなる浄水手段５とに接続している。水道管３と浄水手段５との給水路には、浄水手段５への給水を制御する給水弁６を設けている。浄水手段５を通過した水道水は、水を加熱するヒータ７を有する加熱容器８へ給水経路９を介して注がれる。また加熱容器８には加熱容器内の水温を検知する温度検知手段であるサーミスタ１０と、加熱容器８内の水位を、電極間の電位が水の有無によって変わることから検知する水位検知手段１１を設けている。
【００２０】
そして、給水経路９上には、浄水手段５を通過した水をキッチンシンク１２に吐出する浄水パイプ１３か、給水経路９のどちらかに導く切替弁１４が設けてある。１５は加熱容器８から生じた蒸気を逃がす蒸気パイプ、１６は加熱容器８内の湯を出湯パイプ１７に吐出するポンプである。上記した浄水パイプ１３、蒸気パイプ１５、および出湯パイプ１７は、水道口４と同様、キッチンシンク１２に臨んで配置されている。１８は出湯や浄水の吐出及び各種状態を知らせる操作表示部で、キッチンユニット１の上部の操作部１ａに設けてある。
【００２１】
１９は本発明の実施例における給湯装置へ電源を供給している商用電源、２０は本発明の実施例における給湯装置の制御手段であるマイクロコンピュータであり、マイクロコンピュータ２０には給水弁６とヒータ７、サーミスタ１０、水位検知手段１１、切替弁１４、ポンプ１６、操作表示部１８、商用電源１９を接続し、サーミスタ１０、水位検知手段１１、操作表示部１８、商用電源１９からの入力に応じて、給水弁６、ヒータ７、切替弁１４、ポンプ１６を出力制御する。
【００２２】
マイクロコンピュータ２０内には、ポンプ１６を制御して加熱容器８内の液体を自動排水する自動排水手段２０ａと、給水弁６を制御して加熱容器８内への給水と、自動排水手段２０ａを用いて加熱容器８内の液体の排水を繰り返し、自動的に加熱容器８内のすすぎ洗浄を行うすすぎ洗浄手段２０ｂを有している。
【００２３】
図２は本実施例における操作表示部１８の詳細を示しており、１８ａはＯＮになると接続されたマイクロコンピュータ２０が切替弁１４を浄水パイプ１３側に切り換えると共に、給水弁６を開いて浄水した水を吐出する浄水スイッチ。１８ｂはＯＮになると接続されたマイクロコンピュータ２０が切替弁１４を加熱容器８、出湯パイプ１７側に切り換えるとともにポンプ１６を駆動して加熱容器８内の湯を出湯する出湯スイッチ。１８ｃはＯＮになると出湯スイッチ１８ｂの操作を可能とするロック解除スイッチ。１８ｄはロック解除スイッチ１８ｃがＯＮになると点灯してロック解除スイッチ１８ｄの状態を表すロック解除ＬＥＤ。１８ｅは水位検知手段１１が検知した水位を表示する水位表示ＬＥＤ。１８ｆはポンプ１６を駆動する電流の経路に設置した状態保持型の自動排水許可スイッチであり、自動排水手段２０ａと接続している。また、自動排水許可スイッチ１８ｆに連動して動作する連動スイッチ１８ｆ１が設けられている。
【００２４】
以上のように構成された給湯装置についてその動作を説明する。給湯装置の加熱容器８内の水温はサーミスタ１０によって検知され、マイクロコンピュータ２０に送られる。マイクロコンピュータ２０は、サーミスタ１０によって検知した水温が８５℃未満になるとヒータ７をＯＮ、８５℃以上になるとヒータ７をＯＦＦして保温状態を維持している。
【００２５】
また、出湯ＳＷ１８ｃをＯＮして加熱容器８内の湯を出湯して満水から水位が下がると、水位検知手段１１が水位が下がったことを検知してマイクロコンピュータ２０に送り、マイクロコンピュータ２０は水位が下がった信号を受け取ると、切替弁１４を加熱容器８側に切替るとともに、給水弁６を開いて加熱容器８内に給水する給水状態になる。そして水位検知手段１１が水位の満水状態を検知してマイクロコンピュータ２０に送ると、マイクロコンピュータ２０は給水弁６を閉じて給水を止め、ヒータ７を制御して高温の湯を保つ保温状態となる。このように加熱容器内８内には、常に高温の湯が満水状態で出湯できる状態に保たれる。
【００２６】
次にすすぎ洗浄手段２０ｂの動きについて、動作図３を用いて説明する。すすぎ洗浄手段２０ｂは、商用電源１９が通電すると、すすぎ洗浄工程をスタートして、ステップ１で出湯ＳＷ１８ｂがＯＮ状態になるまで待つ。ＯＮ状態になるとステップ２に移行してポンプ１６を駆動して加熱容器８内の湯を出湯パイプ１７から吐出する。
【００２７】
ステップ３では、水位検知手段１１によって加熱容器８内の水位が０になったどうか判断する。まだ加熱容器８内に湯が残っているならＮＯとなり、ステップ１に戻って出湯ＳＷ１８ｃによって出湯操作を待つ。反対に水位が０になると加熱容器８内が空になったのでＹＥＳとなってステップ４に移行する。ステップ４ではポンプ１６をＯＦＦするとともに、すすぎ洗浄手段２０ｂは切替弁１４を加熱容器８側に切り替えて、給水弁６を開いて加熱容器８への給水を開始し、水位検知手段１１が満水を検知するまで給水工程を継続する。
【００２８】
満水を検知するとステップ５に移行して給水弁６を閉じて加熱容器８への給水を停止し、自動排水手段２０ａに自動排水を行う信号を出力し、自動排水手段２０ａはすすぎ洗浄手段２０ｂから自動排水を行う信号を受け取ると、ポンプ１６を駆動して満水になった加熱容器８内の水を出湯パイプ１７から吐出する。すすぎ洗浄手段２０ｂは水位検知手段１１が水位０を検知して加熱容器８内の水が無くなるまで自動排水手段２０ａに自動排水を行う信号を出力し、加熱容器８内に水が無くなるとステップ６に移行する。
【００２９】
ステップ６ではステップ４と同じ給水工程の動作を行い、ステップ７に移行しステップ７ではステップ５と同じ自動排水工程の動作を行う。ステップ８、ステップ９でもステップ４、ステップ５と同じ給水工程、自動排水工程の動作を行い、最終的に給水、自動排水の工程を３回自動的に繰り返し終了する。
【００３０】
次に自動排水手段２０ａの動きについて、回路図４を用いて説明する。図４において２１はポンプ１６を駆動するための直流電源、２２はポンプ１６の駆動手段であるところのポンプ駆動スイッチであり、自動排水手段２０ａからのＯＮ信号を受け取ると閉じる。
【００３１】
自動排水許可スイッチ１８ｆは状態保持型のスイッチであり、ＯＮして閉じた状態になると連動スイッチ１８ｆ１も同時にＯＦＦからＯＮになり自動排水許可スイッチ１８ｆが閉じた状態になったことを知らせる信号が自動排水手段２０ａに送られる。自動排水手段２０ａは、すすぎ洗浄手段２０ｂから自動排水を開始する信号を受け取り、かつ連動スイッチ１８ｆ１から自動排水許可スイッチ１８ｆが閉じた状態になっている信号を受け取ると、ポンプ駆動スイッチ２２にＯＮ信号を出力する。ポンプ１６はポンプ駆動スイッチ２２が閉じてかつ自動排水許可スイッチ１８ｆが閉じた状態になると直流電源２１から電流が流れ、回転動作し加熱容器８内の液体を排水する。
【００３２】
以上のように本実施例によれば、自動排水許可スイッチ１８ｆ、連動スイッチ１８ｆ１、及び自動排水手段２０ａを設けることにより、自動排水許可スイッチ１８ｆを閉じない限り、ポンプ１６が駆動されて加熱容器８内の液体が排水されることはない。さらに、万が一、マイクロコンピュータ２０内の自動排水手段２０ａが故障して、ポンプ駆動スイッチ２２が閉じても、ポンプ６が駆動することがないので、間違って加熱容器８内の液体が排水され、加熱容器８内の液体が不意に使用者の手などに注がれることを防ぎ、安全に自動排水手段２０ａを用いた自動排水の機能が使える。
【００３３】
なお、本実施例において、すすぎ洗浄工程のステップ１、２、３で自動排水手段２０ａを用いないで手動で排水を行ったが、より使用者の安全を考えて、加熱容器８内の液体温度が確実に低い場合のみ自動排水を用いたからであり、安全に気をつけて、全ての排水に自動排水手段２０ａを用いてもよい。
【００３４】
また、本実施例において、すすぎ洗浄工程を用いて自動排水許可スイッチ１８ｆと、自動排水手段２０ａの説明を行ったが、その他の自動排水を行う工程を用いても何ら問題ない。
【００３５】
また、本実施例において、自動排水許可スイッチ１８ｆを、ポンプ１６及びポンプ駆動スイッチ２２と直列にして、直流電源２１を加えた構成としたが、自動排水許可スイッチ１８ｆを自動排水手段の２０ａ出力端に接続して、自動排水手段２０ａによるポンプ駆動スイッチ２２の駆動を禁止する構成としても自動排水手段の誤動作によるポンプ１６の誤駆動を防止することができる。ただし、この場合には、上記実施例で得られるような効果、すなわち、ポンプ駆動スイッチ２２自身が故障（例えば接点の溶着等）した場合におけるポンプ１６の誤駆動を防止する効果は得られない。
【００３６】
（実施例２）
以下、本発明の第２の実施例について図５を参照しながら説明する。なお本実施例の全体構成について実施例１と同一の構成要素については、同じ番号を付し説明を省略する。
【００３７】
マイクロコンピュータ２０内には、さらに、自動排水工程開始手段２０ｃが含まれる。自動排水許可スイッチ１８ｆに連動した連動スイッチ１８ｆ１は、自動排水手段２０ａと自動排水工程開始手段２０ｃに接続される。そして、すすぎ洗浄手段２０ｂに自動排水工程開始手段２０ｃを接続する。自動排水許可スイッチ１８ｆがＯＮして閉じた状態になると連動スイッチスイッチ１８ｆ１が連動して閉じ、自動排水工程開始手段２０ｃは、これを検知すると、すすぎ洗浄手段２０ｂにすすぎ洗浄を開始する信号を出力する。すすぎ洗浄手段２０ｂは自動排水工程開始手段２０ｃから、すすぎ洗浄を開始する信号を受け取ると、すすぎ洗浄工程をスタートする。
【００３８】
図６は本実施例における操作表示部１８の詳細を示しており、自動排水許可スイッチ１８ｆの近傍に、自動排水許可スイッチ１８ｆがＯＮするとすすぎ洗浄が始まる旨の印字がしてある。
【００３９】
以上のように本実施例によれば、自動排水工程開始手段２０ｃを設けることにより、自動排水手段２０ａを用いるすすぎ洗浄工程を始める為の自動排水許可スイッチ１８ｆを閉じる行為と、ポンプ６への通電が可能な状態になることが兼ねられるので、誤ってポンプ６への通電を禁止したまま、すすぎ洗浄工程を開始することが無く、安全性も高く使い勝手が良い。
【００４０】
なお、本実施例において、自動排水を用いた工程としてすすぎ洗浄工程を用いたが、その他の自動排水を行う工程を用いても何ら問題ない。
【００４１】
（実施例３）
以下、本発明の第３の実施例について図７を参照しながら説明する。なお本実施例の全体構成について実施例１と同一の構成要素については、同じ番号を付し説明を省略する。
【００４２】
マイクロコンピュータ２０内には、待機手段２０ｄが含まれる。自動排水許可スイッチ１８ｆに連動した連動スイッチ１８ｆ１は、自動排水手段２０ａと待機手段２０ｄに接続される。すすぎ洗浄手段２０ｂには待機手段２０ｄを接続する。すすぎ洗浄手段２０ｂは商用電源１９に機器が通電されたことを検知してすすぎ洗浄工程を開始する。待機手段２０ｄは連動スイッチ１８ｆ１から、自動排水許可スイッチ１８ｆが閉じた状態になっている信号を受け取るまで、すすぎ洗浄手段２０ｂにすすぎ洗浄工程を停止する信号を出力する。
【００４３】
以上のように構成された待機手段２０ｄの動きについて、本実施例におけるすすぎ洗浄手段２０ｂの動作図８を用いて説明する。なお第一の実施例と同一の動作については同じステップ番号を付し説明を省略する。商用電源１９が通電開始すると、すすぎ洗浄手段２０ｂはすすぎ洗浄工程をスタートするとともに、ステップ１０で待機手段２０ｄからすすぎ洗浄工程を停止する信号が送られてきているか確認する。もし、待機手段２０ｄからすすぎ洗浄工程を停止する信号が送られてきているとＹＥＳとなり、ステップ１０を繰り返す。反対に、すすぎ洗浄工程を停止する信号が送られないとＮＯとなりステップ１に移行して、すすぎ洗浄工程を続ける。
【００４４】
以上のように本実施例によれば、待機手段２０ｄを設けることにより、すすぎ洗浄工程が始まった時、ポンプ６への通電が可能な状態になるまで、すすぎ洗浄工程が先に進まないので、誤って自動排水許可スイッチ１８ｆをＯＮし忘れ、ポンプ６への通電が許可状態にならず、すすぎ洗浄工程の自動排水が行われないまま終了してしまうのを防ぎ、安全性も高い。
【００４５】
なお、本実施例において、自動排水を用いた工程としてすすぎ洗浄工程を用いたが、その他の自動排水を行う工程を用いても何ら問題ない。
【００４６】
また、本実施例において、すすぎ洗浄工程が始まるとすぐ待機手段２０ｄから工程進行開始信号が送られるまで待機する仕様としたが、自動排水手段２０ａがすすぎ洗浄手段２０ｂから、自動排水を行う信号を受け付けるステップ５までの間に設けても、何ら問題ない。
【００４７】
また、本実施例において、待機手段２０ｄに所定の命令を入力するのを自動排水許可スイッチ１８ｆに連動して動作する連動スイッチ１８ｆ１としたが、その他、自動排水許可スイッチ１８ｆの状態を判断して、待機手段２０ｄに所定の命令を入力する別のスイッチ、制御回路等を用いてもよい。
【００４８】
（実施例４）
以下、本発明の第４の実施例について回路図９を参照しながら説明する。なお本実施例の全体構成について実施例１と同一の構成要素については、同じ番号を付し説明を省略する。
【００４９】
マイクロコンピュータ２０内には、自動排水手段２０ａ、すすぎ洗浄手段２０ｂ、クエン酸洗浄手段２０ｅ、動作計時手段２０ｆ、自動排水開始選択手段２０ｇが含まれる。
【００５０】
クエン酸洗浄手段２０ｅは、加熱容器８内へのクエン酸溶液投入後、所定の時間高温保温を行い、その後、給水弁６を制御して加熱容器８内への給水と、自動排水手段２０ａを用いて加熱容器８内の液体の排水を自動的に繰り返し、加熱容器８内のクエン酸洗浄を行う。動作計時手段２０ｆは、給湯装置に商用電源１９から電源が供給され動作している時間を積算して計時する。自動排水開始選択手段２０ｇは、連動スイッチ１８ｆ１から自動排水許可スイッチ１８ｆが閉じた状態になっている信号を受け取った時、動作計時手段２０ｆが計時した時間に応じて、すすぎ洗浄手段２０ｂまたはクエン酸洗浄手段２０ｅに洗浄工程を開始する信号を出力する。
【００５１】
次にクエン酸洗浄手段２０ｅの詳細な動きについて、動作図１０を用いて説明する。なお第一の実施例のすすぎ洗浄手段２０ｂと同一の動作については、同じステップ番号を付し説明を省略する。
【００５２】
クエン酸洗浄手段２０ｅは自動排水開始選択手段２０ｇから洗浄工程開始の信号を受け取るとクエン酸洗浄工程を開始し、ステップ１１で空になった加熱容器に出湯パイプ１７から使用者によってクエン酸溶液を投入されると、水位検知手段１１により水位が上昇したことでクエン酸溶液が投入されたことを判断してステップ１２に移行し、ステップ１２では切替弁１４を加熱容器８側に切り替えて、給水弁６を開いて加熱容器８への給水を開始し、水位検知手段１１が満水を検知するまで給水工程を継続し、クエン酸溶液を加熱容器８内に満たしてステップ１３に移行する。
【００５３】
ステップ１３では給水弁６を閉じて加熱容器８への給水を停止し、サーミスタ１０によって検知した水温が８５℃未満になるとヒータ７をＯＮ、８５℃以上になるとヒータ７をＯＦＦして１時間保温状態を維持して、加熱容器８内の水垢等をクエン酸溶液で落としてステップ１４に移行する。
【００５４】
ステップ１４では出湯ＳＷ１８ｂがＯＮ状態になるまで待つ。ＯＮ状態になるとステップ１５に移行してポンプ１６を駆動して加熱容器８内の湯を出湯パイプ１７から吐出する。ステップ１６では、水位検知手段１１によって加熱容器８内の水位が０になったどうか判断する。まだ加熱容器８内に湯が残っているならＮＯとなり、ステップ１に戻って出湯ＳＷ１８ｃによって出湯操作を待つ。反対に水位が０になると加熱容器８内が空になったのでＹＥＳとなってステップ４に移行する。
【００５５】
次に、自動排水開始選択手段２０ｇの動作について動作図１１を用いて説明する。自動排水開始選択手段２０ｇは、ステップ１７で自動排水許可スイッチ１８ｆがＯＮして閉じた状態になるとステップ１８で、動作計時手段２０ｆから送られてくる、動作計時手段２０ｆが計時した給湯装置の動作している時間が３ヶ月以上かどうか判断する。給湯装置の動作時間が３ヶ月を越えているとＹＥＳとなりステップ１９に移行して、ステップ１９では自動排水開始選択手段２０ｇは、給湯装置の動作時間が長くなり加熱容器８内の汚れがひどくなっている恐れがあるため、クエン酸洗浄手段２０ｅにクエン酸洗浄を開始するよう洗浄工程開始の信号を出力する。反対にステップ１８で給湯装置の動作している時間が３ヶ月未満ならＮＯとなりステップ２０に移行して、自動排水開始選択手段２０ｇは、すすぎ洗浄手段２０ｂにすすぎ洗浄を開始するよう洗浄工程開始の信号を出力する。
【００５６】
また、図１２は本実施例における操作表示部１８の詳細図であり、自動排水許可スイッチ１８ｆの近傍には、自動排水許可スイッチ１８ｆがＯＮするとすすぎ洗浄またはクエン酸洗浄が始まる旨が印字してあり、マイクロコンピュータ２０は動作計時手段２０ｆが計時した給湯装置の動作時間が３ヶ月以上になるとクエン酸洗浄お知らせＬＥＤ１８ｇを点滅させ、使用者に自動排水許可スイッチ１８ｆをＯＮすると、クエン酸洗浄が始まることを知らせる。
【００５７】
以上のように本実施例によれば、自動排水許可スイッチ１８ｆがＯＮして閉じた状態になったとき、給湯装置の動作時間に応じてすすぎ洗浄またはクエン酸洗浄のどちらかを始める自動排水開始選択手段２０ｇを設けることにより、給湯装置の使用時間が長くて加熱容器８内の汚れがひどいと考えられる場合には、洗浄能力の強いクエン酸洗浄、反対に給湯装置の使用時間が短くて加熱容器８内の汚れがそれほどひどくない場合には、洗浄能力は落ちるが工程の時間が短くてすむすすぎ洗浄と、一つの自動排水許可スイッチ１８ｆで、その時必要な自動排水を使用する工程を選択開始でき、かつ、ポンプへの通電が可能な状態になることが兼ねられるので、安全性も高く使い勝手が良い。
【００５８】
なお本実施例において、自動排水開始選択手段２０ｇは自動排水を行う、すすぎ洗浄工程とクエン酸洗浄工程の２つ内の１つを選択したが、３、４、５とより複数の自動排水を行う工程の中から選択するようにしても何ら問題ない。
【００５９】
また、本実施例において自動排水開始選択手段２０ｇは、給湯装置の動作時間に応じてすすぎ洗浄工程とクエン酸洗浄工程の２つ内の１つを選択したが、その他の給湯装置の動作状態に応じて選択するようにしても何ら問題ない。
【００６０】
（実施例５）
以下、本発明の第５の実施例について図１３を用いて説明する。なお本実施例の全体構成について実施例１〜４と同一の構成要素については、同じ番号を付し説明を省略する。
【００６１】
マイクロコンピュータ２０内には、自動排水手段２０ａ、すすぎ洗浄手段２０ｂ、クエン酸洗浄手段２０ｅ、及び自動排水開始進行手段２０ｈが含まれる。すすぎ洗浄手段２０ｂは、給湯装置が商用電源１９への通電開始されたことを検知すると、すすぎ洗浄工程が開始される。しかしながら、自動排水開始進行手段２０ｈは、連動スイッチ１８ｆ１から、自動排水許可スイッチ１８ｆが閉じた状態になっている旨の信号を受け取るまで、すすぎ洗浄手段２０ｂにすすぎ洗浄工程を停止する信号を出力する。また、自動排水開始進行手段２０ｈは、マイクロコンピュータ２０が保温動作状態（即ち給湯装置がヒータ７を制御して高温の湯を保っている動作状態にある）にある時、連動スイッチ１８ｆ１から、自動排水許可スイッチ１８ｆが閉じた状態になっている旨の信号を受け取ると、クエン酸洗浄手段２０ｅにクエン酸洗浄工程を開始するよう洗浄工程開始の信号を出力する動作を行う。
【００６２】
なお、自動排水開始進行手段２０ｈの、自動排水許可スイッチ１８ｆが閉じた状態になっている信号を受け取るまで、すすぎ洗浄手段２０ｂにすすぎ洗浄工程を停止する信号を出力する動作は、実施例３における待機手段２０ｄと同じであり説明を省略する。
【００６３】
また、自動排水開始進行手段２０ｈのもう一方の動作である、自動排水許可スイッチ１８ｆが閉じた状態になっている旨の信号を受け取るとクエン酸洗浄手段２０ｅに洗浄工程開始の信号を出力する動作は、実施例２における自動排水工程開始手段２０ｃの働きと同じであり説明を省略する。
【００６４】
以上のように本実施例によれば、自動排水開始進行手段２０ｈを設けることにより、給湯装置の状態に応じて、すすぎ洗浄工程では、ポンプ６への通電が許可状態になるまで自動排水手段２０ａを用いる工程を止める働き。また、ポンプ６への通電を許可状態にするとともに自動排水手段２０ａを用いるクエン酸洗浄工程を始める働きの二つの機能を使い分けることができ、かつポンプへの通電の許可も兼ねられるので安全で使い勝手が良い。
【００６５】
（実施例６）
以下、本発明の第６の実施例について図１４を用いて説明する。なお本実施例の全体構成について実施例１〜５と同一の構成要素については、同じ番号を付し説明を省略する。
【００６６】
ブザー２３は、マイクロコンピュータ２０と接続し、ＯＮ信号を受け取ると吹鳴する。マイクロコンピュータ２０内には、自動排水手段２０ａ、すすぎ洗浄手段２０ｂ、及び排水切替禁止報知手段２０ｉが含まれる。排水切替禁止報知手段２０ｉは、連動スイッチ１８ｆ１から自動排水許可スイッチ１８ｆの開閉状態を入力し、自動排水手段２０ａからポンプ駆動スイッチを駆動しているかどうかの信号を入力する。そこで、排水切替禁止報知手段２０ｉは、自動排水手段２０ａがポンプ駆動スイッチ２２にＯＮ信号を出力中、自動排水許可スイッチ１８ｆがＯＦＦされ開いた状態になると、その旨の信号をブザー２３にＯＮ信号を出力しブザーを吹鳴する。
【００６７】
以上のように本実施例によれば、自動排水手段２０ａが動作中、それを誤って不許可にしてしまっても、使用者に報知して知らせることができ、誤って自動排水が失敗してしまうのを防ぎ使い勝手が良い。
【００６８】
（実施例７）
以下、本発明の第７の実施例について回路図１５を用いて説明する。なお本実施例の全体構成について実施例１〜６と同一の構成要素については、同じ番号を付し説明を省略する。
【００６９】
マイクロコンピュータ２０内には、自動排水手段２０ａ、すすぎ洗浄手段２０ｂ、及び工程切替禁止報知手段２０ｊが含まれる。工程切替禁止報知手段２０ｊは連動スイッチ１８ｆ１から自動排水許可スイッチ１８ｆの開閉状態を入力し、すすぎ洗浄手段２０ｂから自動排水工程が動作中であるかどうかの信号を入力する。そこで、排水切替禁止手段２０ｉは、すすぎ洗浄手段２０ｂがすすぎ洗浄工程を動作中、自動排水許可スイッチ１８ｆがＯＦＦされ開いた状態になると、ブザー２３にＯＮ信号を出力しブザーを吹鳴する。
【００７０】
以上のように本実施例によれば、自動排水手段２０ａを使用するすすぎ洗浄手段２０ａが動作中、すなわち、自動排水手段による自動排水工程の動作中、自動排水手段２０ａを誤って不許可にしてしまったことを、使用者に報知して知らせることができるので、誤って自動排水が失敗してしまうのを防ぎ使い勝手が良い。
【００７１】
なお、本実施例において、工程切替禁止報知手段２０ｊは、すすぎ洗浄手段２０ａが動作中かどうかで、自動排水工程の動作中であると判断したが、自動排水手段２０ａを用いるその他の工程でも何ら問題ない。
【００７２】
【発明の効果】
以上のように本発明によれば、使用者が自動排水許可スイッチを禁止状態にしている限り、ポンプ駆動手段が故障しても、誤ってポンプが駆動される事が無く、加熱容器内の液体が間違って排水されることを防ぎ安全である。
【図面の簡単な説明】
【図１】本発明の第１の実施例における給湯装置の全体を示す断面図
【図２】同給湯装置における操作表示部の詳細図
【図３】同給湯装置におけるすすぎ洗浄手段の動作図
【図４】同給湯装置における回路図
【図５】本発明の第２の実施例における給湯装置の回路図
【図６】同給湯装置における操作表示部の詳細図
【図７】本発明の第３の実施例における給湯装置の回路図
【図８】同給湯装置におけるすすぎ洗浄手段の動作図
【図９】本発明の第４の実施例における給湯装置の回路図
【図１０】同給湯装置におけるクエン酸洗浄手段の動作図
【図１１】同給湯装置における自動排水開始選択手段の動作図
【図１２】同給湯装置における操作表示部の詳細図
【図１３】本発明の第５の実施例における給湯装置の回路図
【図１４】本発明の第６の実施例における給湯装置の回路図
【図１５】本発明の第７の実施例における給湯装置の回路図
【符号の説明】
３  水道管（給水管）
６  給水弁
８  加熱容器
１６  ポンプ
１８  操作表示部（操作部）
１８ｆ  自動排水許可スイッチ
１８ｆ１  連動スイッチ
２０ａ  自動排水手段
２０ｃ  自動排水工程開始手段
２０ｄ  待機手段
２０ｇ  自動排水開始選択手段
２０ｈ  自動排水開始進行手段
２０ｉ  排水切替禁止報知手段
２０ｊ  工程切替禁止報知手段
２２  ポンプ駆動スイッチ（ポンプ駆動手段）
【図１】
0003614153.tif 000002
【図２】
0003614153.tif 000003
【図３】
0003614153.tif 000004
【図４】
0003614153.tif 000005
【図５】
0003614153.tif 000006
【図６】
0003614153.tif 000007
【図７】
0003614153.tif 000008
【図８】
0003614153.tif 000009
【図９】
0003614153.tif 000010
【図１０】
0003614153.tif 000011
【図１１】
0003614153.tif 000012
【図１２】
0003614153.tif 000013
【図１３】
0003614153.tif 000014
【図１４】
0003614153.tif 000015
【図１５】
0003614153.tif 000016